(57)【特許請求の範囲】
【請求項１】
基準となる音声信号である基準音声信号の平均ラウドネス値に合わせて、調節対象の音声信号である被調節音声信号の平均ラウドネス値を調節するラウドネス調節装置であって、
前記基準音声信号の平均ラウドネス値および前記被調節音声信号の平均ラウドネス値を測定し、該測定した前記基準音声信号および前記被調節音声信号それぞれの平均ラウドネス値に基づき、前記被調節音声信号のラウドネス値の調節値を決定する分析部と、
前記分析部により決定された調節値により前記被調節音声信号のラウドネス値を調節する調節部と、
を備え、
前記分析部は、所定の時点までの前記基準音声信号の平均ラウドネス値と前記被調節音声信号の平均ラウドネス値との差と、番組の経過時間および残り時間とに基づき、前記調節値を算出することを特徴とするラウドネス調節装置。
【請求項２】
請求項１に記載のラウドネス調節装置において、
前記分析部は、前記調節部によるラウドネス値の調節後の前記被調節音声信号のラウドネス値を測定することを特徴とするラウドネス調節装置。
【請求項３】
請求項１または２に記載のラウドネス調節装置において、
前記分析部は、前記所定の時点までの前記基準音声信号の平均ラウドネス値と前記被調節音声信号の平均ラウドネス値との差を、前記所定の時点における前記番組の残り時間で平均することで、前記調節値を算出することを特徴とするラウドネス調節装置。
【請求項４】
請求項１から３のいずれか一項に記載のラウドネス調節装置において、
前記分析部は、前記所定の時点までの前記基準音声信号の平均ラウドネス値と前記被調節音声信号の平均ラウドネス値との差と、前記番組の経過時間および前記番組の残り時間に応じた重み付け係数とに基づき、前記調節値を算出することを特徴とするラウドネス調節装置。
【請求項５】
請求項１から４のいずれか一項に記載のラウドネス調節装置において、
前記分析部は、前記基準音声信号と前記被調節音声信号とで、予め定められた区間における前記平均ラウドネス値、ショートタームラウドネス値およびモーメンタリラウドネス値の時間微分の符号のいずれか１つ、いずれか２つ、または、全てが一致する場合には、前記被調節音声信号のラウドネス値を調節することを特徴とするラウドネス調節装置。
【請求項６】
請求項１から４のいずれか一項に記載のラウドネス調節装置において、
前記分析部は、前記基準音声信号の平均ラウドネス値と前記被調節音声信号の平均ラウドネス値との差の符号、前記基準音声信号のモーメンタリラウドネス値と前記被調節音声信号のモーメンタリラウドネス値との差の符号、および、前記基準音声信号のショートタームラウドネス値と前記被調節音声信号のショートタームラウドネス値との差の符号の全てが一致する場合には、前記被調節音声信号のラウドネス値を調節することを特徴とするラウドネス調節装置。
【請求項７】
請求項１から６のいずれか一項に記載のラウドネス調節装置において、
前記分析部は、所定のタイミング毎に、前記調節値を決定し、前記調節値を直前の調節値から今回のタイミングで決定した調節値に更新する場合、前記直前の調節値から前記今回のタイミングで決定した調節値まで、前記調節値を所定の時間をかけて連続的に変化させることを特徴とするラウドネス調節装置。
【請求項８】
請求項１から７のいずれか一項に記載のラウドネス調節装置において、
前記分析部は、所定のタイミング毎に、前記調節値を決定し、直前の調節値と今回のタイミングにおける調節値との差分が所定の範囲内に含まれるように、調節値を決定することを特徴とするラウドネス調節装置。
【請求項９】
請求項１から７のいずれか一項に記載のラウドネス調節装置において、
前記分析部は、所定のタイミング毎に、前記調節値が所定の範囲内に含まれるように、調節値を決定することを特徴とするラウドネス調節装置。
【請求項１０】
コンピュータを、請求項１から９のいずれか一項に記載のラウドネス調節装置として機能させるプログラム。
【発明の詳細な説明】
【技術分野】
【０００１】
本発明は、基準となる音声信号である基準音声信号の平均ラウドネス値に合わせて、調節対象の音声信号である被調節音声信号の平均ラウドネス値を調節するラウドネス調節装置およびプログラムに関する。
【背景技術】
【０００２】
ＡＲＩＢ（Ａｓｓｏｃｉａｔｉｏｎ  ｏｆ  Ｒａｄｉｏ  Ｉｎｄｕｓｔｒｉｅｓ  Ｂｕｓｉｎｅｓｓ）標準規格で規定されている放送用の音声フォーマットは、２ｃｈステレオ、５．１ｃｈサラウンド、２２．２マルチチャンネル音響など、多岐にわたる（非特許文献１参照）。これらの音声フォーマットは、元の音声信号のチャンネル数のまま再生されることを前提としているが、再生環境に応じて、ダウンミックスやレンダリングによるチャンネル数変換により、チャンネル数を異ならせて音声信号が再生されることもある（非特許文献１，２参照）。
【先行技術文献】
【非特許文献】
【０００３】
【非特許文献１】ＡＲＩＢ  ＳＴＤ−Ｂ３２「デジタル放送における映像符号化、音声符号化及び多重化方式」  ３．３版（２０１５）
【非特許文献２】Ｔ．Ｓｕｇｉｍｏｔｏ，Ｓ．Ｏｏｄｅ，  ａｎｄ  Ｙ．Ｎａｋａｙａｍａ，“Ｄｏｗｎｍｉｘｉｎｇ  ｍｅｔｈｏｄ  ｆｏｒ  ２２．２  ｍｕｌｔｉｃｈａｎｎｅｌ  ｓｏｕｎｄ  ｓｉｇｎａｌ  ｉｎ  ８Ｋ  Ｓｕｐｅｒ  Ｈｉ−Ｖｉｓｉｏｎ  ｂｒｏａｄｃａｓｔｉｎｇ，”  Ｊ．Ａｕｄｉｏ  Ｅｎｇ．  Ｓｏｃ．  Ｖｏｌ．６３，Ｎｏ．７／８  ｐｐ．５９０−５９９（２０１５）
【発明の概要】
【発明が解決しようとする課題】
【０００４】
ダウンミックスやレンダリングによるチャンネル数変換により、チャンネル数を異ならせて音声信号が再生される場合、ラウドネス値（人が感じる音の大きさ）が変換前の音声信号から変化してしまい、基準となる変換前の音声信号のラウドネス値、つまり制作者の意図に合わせた再生ができなくなってしまう。
【０００５】
本発明の目的は、上述した課題を解決し、音声信号を異なる音声フォーマットに変換して再生する場合においても、変換前の音声信号の平均ラウドネス値に合わせて音声信号を再生することができるラウドネス調節装置およびプログラムを提供することにある。
【課題を解決するための手段】
【０００６】
上記課題を解決するために本発明のラウドネス調節装置は、基準となる音声信号である基準音声信号の平均ラウドネス値に合わせて、調節対象の音声信号である被調節音声信号の平均ラウドネス値を調節するラウドネス調節装置であって、前記基準音声信号の平均ラウドネス値および前記被調節音声信号の平均ラウドネス値を測定し、該測定した前記基準音声信号および前記被調節音声信号それぞれの平均ラウドネス値に基づき、前記被調節音声信号のラウドネス値の調節値を決定する分析部と、前記分析部により決定された調節値により前記被調節音声信号のラウドネス値を調節する調節部と、を備え、前記分析部は、所定の時点までの前記基準音声信号の平均ラウドネス値と前記被調節音声信号の平均ラウドネス値との差と、番組の経過時間および残り時間とに基づき、前記調節値を算出する。
【０００７】
また、上記課題を解決するため、本発明に係るラウドネス調節装置において、前記分析部は、前記調節部によるラウドネス値の調節後の前記被調節音声信号のラウドネス値を測定することが好ましい。
【０００９】
また、上記課題を解決するため、本発明に係るラウドネス調節装置において、前記分析部は、前記所定の時点までの前記基準音声信号の平均ラウドネス値と前記被調節音声信号の平均ラウドネス値との差を、前記所定の時点における前記番組の残り時間で平均することで、前記調節値を算出することが好ましい。
【００１０】
また、上記課題を解決するため、本発明に係るラウドネス調節装置において、前記分析部は、前記所定の時点までの前記基準音声信号の平均ラウドネス値と前記被調節音声信号の平均ラウドネス値との差と、前記番組の経過時間および前記番組の残り時間に応じた重み付け係数とに基づき、前記調節値を算出することが好ましい。
【００１１】
また、上記課題を解決するため、本発明に係るラウドネス調節装置において、前記分析部は、前記基準音声信号と前記被調節音声信号とで、予め定められた区間における前記平均ラウドネス値、ショートタームラウドネス値およびモーメンタリラウドネス値の時間微分の符号のいずれか１つ、いずれか２つ、または、全てが一致する場合には、前記被調節音声信号のラウドネス値を調節することが好ましい。
【００１２】
また、上記課題を解決するため、本発明に係るラウドネス調節装置において、前記分析部は、前記基準音声信号の平均ラウドネス値と前記被調節音声信号の平均ラウドネス値との差の符号、前記基準音声信号のモーメンタリラウドネス値と前記被調節音声信号のモーメンタリラウドネス値との差の符号、および、前記基準音声信号のショートタームラウドネス値と前記被調節音声信号のショートタームラウドネス値との差の符号の全てが一致する場合には、前記被調節音声信号のラウドネス値を調節することが好ましい。
【００１３】
また、上記課題を解決するため、本発明に係るラウドネス調節装置において、前記分析部は、所定のタイミング毎に、前記調節値を決定し、前記調節値を直前の調節値から今回のタイミングで決定した調節値に更新する場合、前記直前の調節値から前記今回のタイミングで決定した調節値まで、前記調節値を所定の時間をかけて連続的に変化させることが好ましい。
【００１４】
また、上記課題を解決するため、本発明に係るラウドネス調節装置において、前記分析部は、所定のタイミング毎に、前記調節値を決定し、直前の調節値と今回のタイミングにおける調節値との差分が所定の範囲内に含まれるように、調節値を決定することが好ましい。
【００１５】
また、上記課題を解決するため、本発明に係るラウドネス調節装置において、前記分析部は、所定のタイミング毎に、前記調節値が所定の範囲内に含まれるように、調節値を決定することが好ましい。
【００１６】
また、上記課題を解決するため、本発明に係るプログラムは、コンピュータを上記ラウドネス調節装置として機能させる。
【発明の効果】
【００１７】
本発明に係るラウドネス調節装置およびプログラムによれば、基準音声信号を異なる音声フォーマットに変換して再生する場合においても、基準音声信号の平均ラウドネス値に合わせて音声信号を再生することができる。
【図面の簡単な説明】
【００１８】
【図１】本発明の一実施形態に係るラウドネス調節装置の構成を示すブロック図である。
【図２】図１に示す分析部の構成を示すブロック図である。
【図３】図１に示すラウドネス調節装置の動作をフローチャートである。
【図４】図１に示すラウドネス調節装置の動作を概念的に示す図である。
【発明を実施するための形態】
【００１９】
以下、本発明の実施の形態について説明する。
【００２０】
図１は、本発明の一実施形態に係るラウドネス調節装置１０の構成を示すブロック図である。本発明は、基準となる音声信号である基準音声信号の平均ラウドネス値に合わせて、ラウドネス値の調節対象の音声信号である被調節音声信号の平均ラウドネス値を調節するものである。以下では、８Ｋ  ＳＨＶ（Ｓｕｐｅｒ  Ｈｉ−Ｖｉｓｉｏｎ）用の２２．２ｃｈ音声信号を基準音声信号とし、その２２．２ｃｈ音声信号をダウンミックスして生成される５．１ｃｈ音声信号が被調節音声信号である例を用いて説明する。
【００２１】
図１に示すラウドネス調節装置１０は、分析部１１と、調節部１２とを備える。
【００２２】
分析部１１は、基準音声信号である２２．２ｃｈ音声信号と、２２．２ｃｈ音声信号をダウンミックスして生成された、被調節音声信号である５．１ｃｈ音声信号とが入力され、入力された２２．２ｃｈ音声信号の平均ラウドネス値および５．１ｃｈ音声信号の平均ラウドネス値を測定する。
【００２３】
また、分析部１１は、入力された音声信号に係る番組の経過時間や残り時間を示す番組情報が入力され、入力された番組情報と、測定した２２．２ｃｈ音声信号および５．１ｃｈ音声信号それぞれの平均ラウドネス値とに基づき、被調節音声信号である５．１ｃｈ音声信号の平均ラウドネス値が、基準音声信号である２２．２ｃｈ音声信号の平均ラウドネス値に合う（被調節音声信号の平均ラウドネス値が基準音声信号の平均ラウドネス値に近づく）ような５．１ｃｈ音声信号のラウドネス値の調節値を決定する。
【００２４】
分析部１１は、決定した調節値を調節部１２に出力する。
【００２５】
調節部１２は、被調節音声信号である５．１ｃｈ音声信号が入力され、分析部１１から出力された調節値を入力された５．１ｃｈ音声信号に適応する（調節値に基づき、５．１ｃｈ音声信号のラウドネス値を調節する）。調節部１２は、ラウドネス値の調節後の５．１ｃｈ音声信号を分析部１１およびラウドネス調節装置１０の外部に出力する。
【００２６】
なお、分析部１１には、調節部１２によるラウドネス値の調節後の５．１ｃｈ音声信号ではなく、ラウドネス値の調整前の５．１ｃｈ音声信号が入力されてもよい。ただし、図１に示すように、調節部１２によるラウドネス値の調節後の被調節音声信号が分析部１１に入力されることで、分析部１１では、調節値に基づく被調節音声信号のラウドネス値の調節が適切であるか否かを把握しながら、調節値を決定することができる。そのため、被調節音声信号の平均ラウドネス値が基準音声信号の平均ラウドネス値に合うように調節精度を高めることができる。
【００２７】
次に、分析部１１の構成について、より詳細に説明する。
【００２８】
図２は、分析部１１の構成を示すブロック図である。
【００２９】
図２に示す分析部１１は、ラウドネス測定部１１１−１，１１１−２と、調節値算出部１１２とを備える。なお、以下では、ラウドネス測定部１１１−１，１１１−２を区別しない場合には、ラウドネス測定部１１１と称する。
【００３０】
ラウドネス測定部１１１−１は、２２．２ｃｈ音声信号が入力され、入力された２２．２ｃｈ音声信号のラウドネス値を測定して、調節値算出部１１２に出力する。
【００３１】
ラウドネス測定部１１１−２は、５．１ｃｈ音声信号が入力され、入力された５．１ｃｈ音声信号のラウドネス値を測定して、調節値算出部１１２に出力する。
【００３２】
調節値算出部１１２は、ラウドネス測定部１１１−１から出力された２２．２ｃｈ音声信号のラウドネス値とラウドネス測定部１１１−２から出力された５．１ｃｈ音声信号のラウドネス値との差を算出し、算出した差と番組情報に示される番組の経過時間および残り時間とに基づき、５．１ｃｈ音声信号のラウドネス値の調節値を算出する。
【００３３】
ここで、以下では、番組の開始からある時点（時刻ｔ）までの２２．２ｃｈ音声信号の平均ラウドネス値をＬ22（ｔ）とし、５．１ｃｈ音声信号の平均ラウドネス値をＬ5（ｔ）とする。また、番組の全体の尺をＴとする。このとき、調節値算出部１１２は、Ｌ22（ｔ）＞Ｌ5（ｔ）である場合、以下の式（１）に基づき、５．１ｃｈ音声信号のラウドネス値の調節値Ｌadjを算出する。なお、Ｌadjは、残りの番組尺内で平均的に５．１ｃｈ音声信号のラウドネス値が２２．２ｃｈ音声信号を上回る必要のあるラウドネス値に相当する。
【００３４】
【数１】
0006637736.tif 000002
【００３５】
また、調節値算出部１１２は、番組の経過時間および残り時間に応じた重み付けに基づき、調節値Ｌadjを算出してもよい。この場合、調節値算出部１１２は、以下の式（２）に基づき、調節値Ｌadjを算出する。式（２）において、ｋ（ｔ）は、番組の経過時間および残り時間に応じた重み付け係数である。
【００３６】
【数２】
0006637736.tif 000003
【００３７】
なお、ラウドネス値の調節による５．１ｃｈ音声信号のラウドネス値の変動が、２２．２ｃｈ音声信号のラウドネス値の変動と大きく異なると、番組の演出意図と反した調節（例えば、２２．２ｃｈ音声信号では音が小さくなっているにも関わらず、５．１ｃｈ音声信号では音が大きくなってしまうような調節）が行われてしまうこともある。
【００３８】
そこで、調節値算出部１１２は、基準音声信号のラウドネス値の変動状態と被調節音声信号のラウドネス値の変動状態とが大きく異なる場合には、被調節音声信号のラウドネス値の調節を行わないようにしてもよい。この場合、調節値算出部１１２は、２２．２ｃｈ音声信号と５．１ｃｈ音声信号とで、予め定められた区間［ｔn-1，ｔn］のショートタームラウドネス値Ｓ（ｔ）（３秒間のラウドネス値の平均値）の時間微分の符号が一致する場合には、被調節音声信号のラウドネス値の調節を行い、一致しない場合には、被調節音声信号のラウドネス値の調節を行わないようにしてもよい。すなわち、調節値算出部１１２は、以下の式（３）に基づき、調節値Ｌadjを算出してもよい。
【００３９】
【数３】
0006637736.tif 000004
【００４０】
なお、被調節音声信号のラウドネス値の調節を行うか否かの判定方法は、上述したショートタームラウドネス値を用いた方法に限られるものではない。例えば、調節値算出部１１２は、ショートタームラウドネス値の代わりに、モーメンタリラウドネス値（４００ｍｓの瞬間値）あるいはショートタームラウドネス値よりも長い期間における平均ラウドネス値を用いてもよい。この場合、調節値算出部１１２は、２２．２ｃｈ音声信号と５．１ｃｈ音声信号とで、モーメンタリラウドネス値あるいは平均ラウドネス値の時間微分の符号が一致する場合には、被調節音声信号のラウドネス値の調節を行い、一致しない場合には、被調節音声信号のラウドネス値の調節を行わないようにしてもよい。また、調節値算出部１１２は、２２．２ｃｈ音声信号と５．１ｃｈ音声信号とで、モーメンタリラウドネス値、ショートタームラウドネス値および平均ラウドネス値のいずれか１つ、いずれか２つ、または全ての時間微分の符号が一致する場合には、被調節音声信号のラウドネス値の調節を行い、一致しない場合には、被調節音声信号のラウドネス値の調節を行わないようにしてもよい。
【００４１】
また、調節値算出部１１２は、２２．２ｃｈ音声信号の平均ラウドネス値と５．１ｃｈ音声信号の平均ラウドネス値との差の符号、２２．２ｃｈ音声信号のモーメンタリラウドネス値と５．１ｃｈ音声信号のモーメンタリラウドネス値との差の符号、および、２２．２ｃｈ音声信号のショートタームラウドネス値と５．１ｃｈ音声信号のショートタームラウドネス値との差の符号の全てが一致する場合には、被調節音声信号のラウドネス値の調節を行い、全てが一致しない場合には、被調節音声信号のラウドネス値の調節を行わないようにしてもよい。
【００４２】
なお、調節値算出部１１２は、所定のタイミング毎に、調節値を決定し、調節部１２に出力する。ここで、調節値算出部１１２は、前回のタイミングで決定した調節値（直前の調節値）と今回のタイミングで算出した調節値とを比較し、直前の調節値と今回のタイミングで算出した調節値との差分が所定の範囲内に含まれる場合には、今回のタイミングで算出した調節値を今回のタイミングにおける調節値として決定する。また、調節値算出部１１２は、直前の調節値と今回のタイミングで算出した調節値との差分が所定の範囲内に含まれない場合には、その所定の範囲内の上限値または下限値を今回のタイミングにおける調節値として決定する。
【００４３】
また、調節値算出部１１２は、算出した調節値が所定の範囲内に含まれる場合には、今回のタイミングで算出した調節値を今回のタイミングにおける調節値として決定する。また、調節値算出部１１２は、算出した調節値が所定の範囲内に含まれない場合には、その所定の範囲内の上限値または下限値を今回のタイミングにおける調節値として決定することもできる。こうすることで、調節値が急激に変動することを防ぐことができる。さらに、算出した調節値の絶対値の絶対値が予め指定した数値より小さい場合は、調節値を０とすることもできる。
【００４４】
また、調節値算出部１１２は、調節値を更新する場合、直前の調節値から今回のタイミングで決定した調節値まで、所定の時間をかけて連続的に調節値を変化させる。こうすることで、調節値の急激な変動が生じるのを防ぐことができる。調節値は、線形的に変化させても、非線形的に変化させてもよい。
【００４５】
なお、式（１）〜式（３）は、番組の経過時間および残り時間から被調節音声信号のラウドネス値の調節値を所定の時間間隔で算出し、適宜、調節値を更新していくものであるが、これに限られるものではない。例えば、調節値算出部１１２は、ある時刻までの基準音声信号の平均ラウドネス値と被調節音声信号の平均ラウドネス値との差を、その時刻以降の番組の残り時間で平均することで、調節値を決定してもよい。
【００４６】
また、前述の調節を実施する場合、必要に応じて式（１）〜式（３）以外の計算方法を用いても構わない。平均ラウドネス値の算出方法の規格が変更になった場合も、計算方法の修正は可能である。
【００４７】
次に、本実施形態に係るラウドネス調節装置１０の動作について、図３に示すフローチャートを参照して説明する。
【００４８】
調節部１２は、音声信号（基準音声信号および被調節音声信号）が入力されると（ステップＳ１０１）、直前の調節値があるか否かを判定する（ステップＳ１０２）。
【００４９】
直前の調節値がない場合には（ステップＳ１０２：Ｎｏ）、調節部１２での処理は行わず、後述するステップＳ１０４の処理に進む。
【００５０】
直前の調節値がある場合には（ステップＳ１０２：Ｙｅｓ）、調節部１２は、被調節音声信号にその調節値を適用する（被調節音声信号のラウドネス値を調節値に基づき修正する）（ステップＳ１０３）。
【００５１】
次に、ラウドネス測定部１１１−１は、基準音声信号のラウドネス値を測定し、ラウドネス測定部１１１−２は、被調節音声信号のラウドネス値を測定する（ステップＳ１０４）。
【００５２】
調節値算出部１１２は、番組情報を取得し（ステップＳ１０５）、ラウドネス測定部１１１−１により測定された基準音声信号のラウドネス値と、ラウドネス測定部１１１−２により測定された被調節音声信号のラウドネス値と、取得した番組情報に示される番組の経過時間および残り時間とに基づき、調節値Ｌadjを算出する。
【００５３】
次に、調節値算出部１１２は、基準音声信号のラウドネス値および被調節音声信号のラウドネス値の時間微分を比較し（ステップＳ１０６）、被調節音声信号のラウドネス値の調節が必要であるか否かを判定する（ステップＳ１０７）。なお、被調節音声信号のラウドネス値の調節の要否の判定は、上述した各種の方法を用いることができる。
【００５４】
被調節音声信号のラウドネス値の調節が必要でないと判定した場合には（ステップＳ１０７：Ｎｏ）、調節値算出部１１２は処理を終了する。
【００５５】
被調節音声信号のラウドネス値の調節が必要であると判定した場合には（ステップＳ１０７：Ｙｅｓ）、調節値算出部１１２は、直前の調節値Ｌadjと今回のタイミングにおいて算出した調節値Ｌadjとの差分が所定の範囲内に含まれるか否かに応じて、調節値Ｌadjを決定する（ステップＳ１０８）。調節部１２は、調節値算出部１１２により決定された調節値Ｌadjに基づき、被調節音声信号のラウドネス値を調節し（ステップＳ１０９）、処理を終了する。
【００５６】
図４は、本発明に係る２２．２ｃｈ音声信号の平均ラウドネス値および５．１ｃｈ音声信号の平均ラウドネス値の変動の一例を示す図である。なお、図４において、実線は２２．２ｃｈ音声信号の平均ラウドネス値を示し、波線は、５．１ｃｈ音声信号の平均ラウドネス値を示す。
【００５７】
本実施形態のように、基準音声信号である２２．２ｃｈ音声信号のラウドネス値と、被調節音声信号である５．１ｃｈ音声信号のラウドネス値と、番組情報に示される番組の経過時間および残り時間とに基づき、５．１ｃｈ音声信号のラウドネス値を調節することで、図４に示すように、時間の経過に応じて、５．１ｃｈ音声信号の平均ラウドネス値と、２２．２ｃｈ音声信号の平均ラウドネス値との差分を小さくすることができる。
【００５８】
ここで、本実施形態においては、ラウドネス調節装置１０は、図４に示すように、２２．２ｃｈ音声信号の平均ラウドネス値が５．１ｃｈ音声信号の平均ラウドネス値よりも大きい場合には、５．１ｃｈ音声信号の平均ラウドネス値が２２．２ｃｈ音声信号の平均ラウドネス値を上回ることがないように、５．１ｃｈ音声信号のラウドネス値を調節する。また、ラウドネス調節装置１０は、２２．２ｃｈ音声信号の平均ラウドネス値が５．１ｃｈ音声信号の平均ラウドネス値よりも小さい場合には、２２．２ｃｈ音声信号の平均ラウドネス値が５．１ｃｈ音声信号の平均ラウドネス値を上回ることがないように、５．１ｃｈ音声信号のラウドネス値を調節する。
【００５９】
このように本実施形態においては、ラウドネス調節装置１０は、基準音声信号の平均ラウドネス値および被調節音声信号の平均ラウドネス値を測定し、測定した基準音声信号および被調節音声信号それぞれの平均ラウドネス値に基づき、被調節音声信号のラウドネス値の調節値を決定する分析部１１と、分析部１１により決定された調節値により被調節音声信号のラウドネス値を調節する調節部１２とを備える。
【００６０】
そのため、被調節音声信号の平均ラウドネス値が基準音声信号の平均ラウドネス値と合うように、被調節音声信号のラウドネス値を調節することができるので、音声信号を異なる音声フォーマットに変換して再生する場合においても、基準音声信号のラウドネス値に合わせて音声信号を再生することができる。
【００６１】
なお、上述した各実施形態においては、基準音声信号が２２．２ｃｈ音声信号であり、被調節音声信号が、２２．２ｃｈ音声信号をダウンミックスして生成された５．１ｃｈ音声信号である例を用いて説明したが、本発明は、これに限られるものではない。例えば、基準音声信号が５．１ｃｈ音声信号であり、被調節音声信号が、５．１ｃｈ音声信号をアップミックスして生成された２２．２ｃｈ音声信号である場合にも、本発明は適用可能である。また、５．１ｃｈ音声信号、２２．２ｃｈ音声信号以外の他の音声フォーマットの音声信号にも本発明は適用可能である。また、被調節音声信号が、基準音声信号をダウンミックスあるいはアップミックスして生成された音声信号ではない場合にも、本発明は適用可能である。
【００６２】
本発明に係るラウドネス調節装置１０にて行われる方法は、コンピュータに実行させるためのプログラムに適用してもよい。また、そのプログラムを記憶媒体に格納することも可能であり、ネットワークを介して外部に提供することも可能である。
【００６３】
本発明を図面および実施形態に基づき説明してきたが、当業者であれば本開示に基づき種々の変形または修正を行うことが容易であることに注意されたい。したがって、これらの変形または修正は本発明の範囲に含まれることに留意されたい。例えば、各ブロックあるいはステップなどに含まれる機能などは論理的に矛盾しないように再配置可能であり、複数のブロックあるいはステップを１つに組み合わせたり、或いは分割したりすることが可能である。
【符号の説明】
【００６４】
１０    ラウドネス調節装置
１１    分析部
１２    調節部
１１１−１，１１１−２    ラウドネス測定部
１１２    調節値算出部
【図１】
0006637736.tif 000005
【図２】
0006637736.tif 000006
【図３】
0006637736.tif 000007
【図４】
0006637736.tif 000008